(57)【要約】【課題】動画像の種類に応じた適切な表示品位が得られるように色補正する。【解決手段】ＲＵＶ／ＲＧＢ変換処理部１５は、Ｙ信号とＶ信号の値に応じたＲ信号の値が記憶されたＬＵＴからＲ信号の値を取得し、Ｙ信号とＵ信号の値に応じたＢ信号の値が記憶されたＬＵＴからＢ信号の値を取得し、Ｙ信号、Ｕ信号、Ｖ信号のシフト演算と加減算とを行ってＧ信号の値を取得する。最適テーブル選択処理部１９は、ＥＰＧ抽出処理部１４にて抽出されたジャンル情報や番組記述情報を元に、管理テーブル１８から最も適した色補正テーブル１７を選択し、そのテーブル情報をＲＧＢ色補正処理部１６に送信する。ＲＧＢ補正処理部１６は、色補正情報に従ってルックアップテーブルを作成し、入力された映像信号をＲＧＢ空間で色補正し、液晶表示装置２０に出力する。【選択図】    図１
2005012285.tif 000002
【特許請求の範囲】
【請求項１】
ＹＵＶ色空間の動画像信号が入力される動画像入力手段と、
入力されたＹＵＶ色空間の動画像信号をＲＧＢ色空間の動画像信号に変換する色空間変換手段と、
色空間変換されたＲＧＢ色空間の動画像信号にＲＧＢ色空間で色補正を行う色補正手段と、
色補正後のＲＧＢ色空間の動画像を出力する手段とを有する動画像処理装置。
【請求項２】
前記色空間変換手段は、Ｙ信号とＶ信号の値に応じたＲ信号の値を記憶したルックアップテーブルによりＲ信号を取得し、Ｙ信号とＵ信号の値に応じたＢ信号の値を記憶したルックアップテーブルによりＢ信号を取得し、Ｙ信号、Ｕ信号、Ｖ信号へのシフト演算の後、加減算を行うことによりＧ信号を取得してＹＵＶ色空間からＲＧＢ色空間に変換する請求項１記載の動画像処理装置。
【請求項３】
動画像信号入力時に動画像種別情報を入手する手段を有し、前記色補正手段は、動画像種別毎に複数の動画像種別色補正手段が設けられ、入力される動画像種別毎に適正な動画像種別色補正手段を動画像種別情報に基づいて選択し、選択された動画像種別色補正手段を用いて色補正を行って動画像信号を出力する請求項１記載の動画像処理装置。
【請求項４】
入力される動画像信号をＹＵＶ色空間からＲＧＢ色空間に色空間変換し、色空間変換されたＲＧＢ色空間で色補正する際に、入力される動画像信号の画像領域を出力時の画像領域に変換の後、前記色空間変換手段による色空間変換と前記色補正手段による色補正を行う請求項１記載の動画像処理装置。
【請求項５】
前記色空間変換手段は、Ｙ信号およびＶ信号の値に応じたＲ信号の値を記憶したＲ信号用ルックアップテーブルと、Ｙ信号およびＵ信号の値に応じてＢ信号の値を記憶したＢ信号用ルックアップテーブルと、Ｙ信号、Ｕ信号およびＶ信号のシフト演算および加減算を行うＧ信号用演算処理部とを有した請求項２に記載の動画像処理装置。
【請求項６】
前記複数の動画像種別色補正手段は、前記動画像種別毎に色補正情報が格納された複数の色補正テーブルであり、前記色補正手段は、動画像の種類によって色補正テーブルを選択して色補正処理部に色補正情報を供給する最適テーブル選択手段を更に有し、該色補正処理部は、選択された色補正テーブルの情報を元に、入力される動画像の種類に応じた色補正処理を行う請求項３に記載の動画像処理装置。
【請求項７】
前記色補正処理部において、前記最適テーブル選択手段から供給された色補正情報を用いてルックアップテーブルが作成され、作成されたルックアップテーブルから色補正後の値を取得する請求項６に記載の動画像処理装置。
【請求項８】
前記色補正手段は、前記色補正テーブルの色補正情報を管理する管理テーブルをさらに有し、前記最適テーブル選択手段は、該管理テーブルの情報を用いて入力される動画像の種類に応じた色補正テーブルを選択する請求項６または７に記載の動画像処理装置。
【請求項９】
指定される任意の画像出力領域に対して、前記色空間変換手段による色空間変換処理および前記色補正手段による色補正処理が行われるように、該色空間変換手段および該色補正手段を制御する表示制御手段を有する請求項４に記載の動画像処理装置。
【請求項１０】
前記色補正手段は、色補正処理部が複数設けられており、複数の画像出力領域が指定された場合に、それぞれの各画像出力領域に対応する色補正処理部毎に色補正処理をそれぞれ行う請求項９に記載の動画像処理装置。
【請求項１１】
入力されるＹＵＶ色空間の動画像信号をＲＧＢ色空間の動画像信号に変換する色空間変換処理と、色空間変換されたＲＧＢ色空間の動画像信号にＲＧＢ色空間で色補正を行う色補正処理とを含む各処理手順をコンピュータに実行させることにより、入力されるＹＵＶ色空間仕様の動画像信号を色空間変換処理にてＲＧＢ色空間の動画像信号に変換の後、色補正処理にて色補正を行い、ＲＧＢ色空間仕様の動画像信号として出力させるための動画像処理プログラム。
【請求項１２】
前記色空間変換処理は、Ｙ信号およびＶ信号の値に応じたＲ信号の値が格納されているＲ信号用ルックアップテーブルからＲ信号の値を取得し、Ｙ信号およびＵ信号の値に応じてＢ信号の値が格納されているＢ信号用ルックアップテーブルからＢ信号の値を取得し、Ｙ信号、Ｕ信号およびＶ信号のシフト演算を行った後、加減算を行うことによってＧ信号の値を取得する請求項１１に記載の動画像処理プログラム。
【請求項１３】
前記色補正処理は、入力される動画像の種類に関する情報を抽出する動画像種別情報抽出処理と、動画像種別毎に色補正情報が格納された複数の色補正テーブルから動画像の種類によって最適な色補正テーブルを選択する最適テーブル選択処理とをさらに含み、選択された色補正テーブルの情報を元に、入力される動画像信号の種類に応じた色補正を行う請求項１１に記載の動画像処理プログラム。
【請求項１４】
指定される任意の画像出力領域に対してそれぞれ、前記色空間変換処理および色補正処理を行う請求項１１〜１３のいずれかに記載の動画像処理プログラム。
【請求項１５】
請求項１１〜１４の何れかに記載の動画像処理プログラムが記録されたコンピュータ読み取り可能な記録媒体。
【発明の詳細な説明】
【０００１】
【発明の属する技術分野】
本発明は、液晶表示装置などの動画像表示装置において、動画像の表示品位を向上させることができる動画像処理装置、動画像処理プログラムおよびその動画像処理プログラムが記録された機械読み取り可能な記録媒体に関する。
【０００２】
【従来の技術】
従来の動画像処理装置において、例えば、ＴＶの映像信号やＭＰＥＧ２などの動画像ファイルでは、輝度を表すＹ信号、色差を表すＵ信号およびＶ信号からなるＹＵＶ色空間データが用いられている。また、液晶表示装置に代表される表示装置では、光の三原色を表すＲ信号、Ｇ信号およびＢ信号からなるＲＧＢ色空間データが用いられている。
【０００３】
したがって、例えばＭＰＥＧ２ファイルの動画像を液晶表示装置で表示する場合には、ＹＵＶ色空間データからＲＧＢ色空間データに色空間変換処理を行う必要がある。ＹＵＶ色空間データからＲＧＢ色空間データに色変換処理を行う場合には、下記式（１）に示すような変換式が用いられる。
【０００４】
【数１】
2005012285.tif 000003
【０００５】
しかしながら、ＹＵＶ色空間データで表された動画像に対して、上記式（１）に示すような変換式を用いて色変換処理を行う場合には、入力されたＹＵＶ信号に対して加算４回と積算４回とを行う必要がある。特に、近年では、動画像の解像度が高くなる傾向にあるため、上記式（１）に示すような変換式をそのまま用いる場合には、変換に要する時間が増大するという問題がある。
【０００６】
この問題に対して、特許文献１には、ルックアップテーブル（ＬＵＴ）を用いた３次元補間方法が提案されている。この特許文献１の従来技術は、色空間を複数の空間領域に分割し、その頂点に位置する色空間データの組み合せに対する色修正情報テーブルを用意しておき、入力される色空間データの組み合せ点を含む空間領域の頂点に対する色修正情報を色修正テーブルから読み出して、修正された色空間データを算出するというものである。
【０００７】
この特許文献１の従来技術によれば、色修正テーブルを参照することによって色空間変換後の値を求めることができるため、処理速度を速くすることができる。
【０００８】
また、特許文献２には、ＬＵＴの入力色値を離散的な格子点状に取り、格子点間に対応する出力値を算出するための補間方法として偏微分を用いることによって、補間精度を向上させる方法が提案されている。
【０００９】
また、従来の動画像処理装置において、ＲＧＢ色空間内で色補正を行う場合に、ＬＵＴが用いる方法が知られている。しかしながら、この方法によれば、動画像処理装置が固定のＬＵＴを有することになり、動画像の種類に応じた色補正を行うことが困難になるという問題がある。
【００１０】
また、従来の動画像処理装置において、ＲＧＢ色空間内で色補正を行う場合にカラーマッチング行うために、Ｉｎｔｅｒｎａｔｉｏｎａｌ  Ｃｏｌｏｒ  Ｃｏｎｓｏｒｔｉｕｍ（ＩＣＣ）によって規定されるプロファイル（ＩＣＣプロファイル）を用いる方法がある。ＩＣＣプロファイルは、液晶モニター、ＣＲＴモニターなどの表示装置、スキャナーなどの画像入力装置において、各機種固有の色再現範囲に依存せずに色データをやりとりするための規格である。このＩＣＣプロファイルに対応している装置は、機種固有のＲＧＢ３原色の入出力特性（γ特性）および色度点などの情報を、データとして所有している。
【００１１】
ＩＣＣプロファイルによるカラーマッチングでは、Ｍｉｃｒｏｓｏｆｔ社のＩＣＭやＡｐｐｌｅ社のＣｏｌｏｒＳｙｎｃなどを代表とするパーソナルコンピュータのＯＳ（オペレーティングシステム）レベルで色補正が行われることになる。この色補正においては、下記式（２）および（３）に示すような３×３マトリックス演算処理とＲＧＢ３原色の入出力特性に基づく値変換（γ逆変換）処理とが行われる。
【００１２】
【数２】
2005012285.tif 000004
【００１３】
【数３】
2005012285.tif 000005
【００１４】
このＩＣＣプロファイルを用いたカラーマッチングによれば、ＹＵＶ色空間で色補正を行うよりも客観的な色補正を行うことができる。また、ＩＣＣプロファイルで扱われるデータサイズはＹＵＶ色空間で扱われるデータサイズよりも大きいため、精度の点でも有利である。
【００１５】
さらに、例えば特許文献３には、一つの画面に対して、入力される動画像の内容によって、輝度、コントラスト、色の濃さ、シャープネス、色合い、黒レベル、映像信号処理の種類などの画質設定を自動的に調整できるようにした画像制御装置が開示されている。
【００１６】
【特許文献１】
特開昭６３−１６２２４８号公報
【特許文献２】
特開２００２−２３７９６１号公報
【特許文献３】
特開２００２−１５８９４１号公報
【００１７】
【発明が解決しようとする課題】
上述した従来の特許文献１によれば、色修正テーブルを参照することによって色空間変換後の値を求めることができるため、処理速度を速くすることができる。しかしながら、この方法では、８ビット３チャンネルの入力に対して４８メガバイトのメモリが必要になり、色修正データが膨大になる上にデータの作成が煩雑になるとういう問題がある。
【００１８】
また、上記従来の特許文献２によれば、偏微分を用いることによって色補正データの補間精度を向上させることができる。しかしながら、この方法では、補間処理が増加することが予想されるため、動画像表示には適さないという問題がある。また、上記ＩＣＣプロファイルを用いたカラーマッチングによれば、ＹＵＶ色空間で色補正を行うよりも客観的な色補正を行うことができる。しかしながら、入力された動画像のＲＧＢ信号に対して、少なくとも加算６回と積算９回とを行う必要がある。特に、近年では、動画像の解像度が高くなる傾向にあるため、上記式（２）および（３）に示すような変換式をそのまま用いる場合、変換に要する時間が大幅に増大するという問題がある。
【００１９】
さらに、上記従来の特許文献３によれば、一つの画面に対して、入力される動画像の内容によって、輝度、コントラスト、色の濃さ、シャープネス、色合い、黒レベル、映像信号処理の種類などの画質設定を自動的に調整することができる。この方法では、ＴＶの映像信号が扱われているのでＹＵＶ色空間で補正処理を行っていると想定されるが、調整値については主観に基づいて決められており、客観性においては何ら判断がなられておらず、精度に対する評価が困難である。また、調整される項目が多いため、作業が煩雑になるという問題がある。さらに、複数画面に対して各画面個別の色補正を行うことはできないという問題がある。
【００２０】
本発明は、上記従来の問題を解決するもので、動画像に対する色補正において色変換に要する時間を短縮化し、色変換のために必要なデータ作成や調整作業の煩雑さを削減できると共に、動画像の種類に応じて色補正を行って適切な表示品位に調整できる動画像処理装置、動画像処理プログラムおよびその動画像処理プログラムを記録したコンピュータ読み取り可能な記録媒体を提供することを目的とする。
【００２１】
【課題を解決するための手段】
本発明の画像処理装置は、ＹＵＶ色空間の動画像信号が入力される動画像入力手段と、入力されたＹＵＶ色空間の動画像信号をＲＧＢ色空間の動画像信号に変換する色空間変換手段と、色空間変換されたＲＧＢ色空間の動画像信号にＲＧＢ色空間で色補正を行う色補正手段と、色補正後のＲＧＢ色空間の動画像を出力する手段とを有し、そのことにより上記目的が達成される。
【００２２】
また、好ましくは、本発明の画像処理装置における色空間変換手段は、Ｙ信号とＶ信号の値に応じたＲ信号の値を記憶したルックアップテーブルによりＲ信号を取得し、Ｙ信号とＵ信号の値に応じたＢ信号の値を記憶したルックアップテーブルによりＢ信号を取得し、Ｙ信号、Ｕ信号、Ｖ信号へのシフト演算の後、加減算を行うことによりＧ信号を取得してＹＵＶ色空間からＲＧＢ色空間に変換する。
【００２３】
さらに、好ましくは、本発明の画像処理装置において、画像信号入力時に動画像種別情報を入手する手段を有し、前記色補正手段は、動画像種別毎に複数の動画像種別色補正手段が設けられ、入力される動画像種別毎に適正な動画像種別色補正手段を動画像種別情報に基づいて選択し、選択された動画像種別色補正手段を用いて色補正を行って動画像信号を出力する。
【００２４】
さらに、好ましくは、本発明の画像処理装置において、入力される動画像信号をＹＵＶ色空間からＲＧＢ色空間に色空間変換し、色空間変換されたＲＧＢ色空間で色補正する際に、入力される動画像信号の画像領域を出力時の画像領域に変換の後、前記色空間変換手段による色空間変換と前記色補正手段による色補正を行う。
【００２５】
さらに、好ましくは、本発明の画像処理装置における色空間変換手段は、Ｙ信号およびＶ信号の値に応じたＲ信号の値を記憶したＲ信号用ルックアップテーブルと、Ｙ信号およびＵ信号の値に応じてＢ信号の値を記憶したＢ信号用ルックアップテーブルと、Ｙ信号、Ｕ信号およびＶ信号のシフト演算および加減算を行うＧ信号用演算処理部とを有する。
【００２６】
さらに、好ましくは、本発明の画像処理装置における複数の動画像種別色補正手段は、前記動画像種別毎に色補正情報が格納された複数の色補正テーブルであり、前記色補正手段は、動画像の種類によって色補正テーブルを選択して色補正処理部に色補正情報を供給する最適テーブル選択手段を更に有し、該色補正処理部は、選択された色補正テーブルの情報を元に、入力される動画像の種類に応じた色補正処理を行う。
【００２７】
さらに、好ましくは、本発明の画像処理装置における色補正処理部において、前記最適テーブル選択手段から供給された色補正情報を用いてルックアップテーブルが作成され、作成されたルックアップテーブルから色補正後の値を取得する。
【００２８】
さらに、好ましくは、本発明の画像処理装置における色補正手段は、前記色補正テーブルの色補正情報を管理する管理テーブルをさらに有し、前記最適テーブル選択手段は、該管理テーブルの情報を用いて入力される動画像の種類に応じた色補正テーブルを選択する。
【００２９】
さらに、好ましくは、本発明の画像処理装置において、指定される任意の画像出力領域に対して、前記色空間変換手段による色空間変換処理および前記色補正手段による色補正処理が行われるように、該色空間変換手段および該色補正手段を制御する表示制御手段を有する。
【００３０】
さらに、好ましくは、本発明の画像処理装置における色補正手段は、色補正処理部が複数設けられており、複数の画像出力領域が指定された場合に、それぞれの各画像出力領域に対応する色補正処理部毎に色補正処理をそれぞれ行う。
【００３１】
本発明の画像処理プログラムは、入力されるＹＵＶ色空間の動画像信号をＲＧＢ色空間の動画像信号に変換する色空間変換処理と、色空間変換されたＲＧＢ色空間の動画像信号にＲＧＢ色空間で色補正を行う色補正処理とを含む各処理手順をコンピュータに実行させることにより、入力されるＹＵＶ色空間仕様の動画像信号を色空間変換処理にてＲＧＢ色空間の動画像信号に変換の後、色補正処理にて色補正を行い、ＲＧＢ色空間仕様の動画像信号として出力させるものであり、そのことにより上記目的が達成される。
【００３２】
また、好ましくは、本発明の画像処理プログラムにおける色空間変換処理は、Ｙ信号およびＶ信号の値に応じたＲ信号の値が格納されているＲ信号用ルックアップテーブルからＲ信号の値を取得し、Ｙ信号およびＵ信号の値に応じてＢ信号の値が格納されているＢ信号用ルックアップテーブルからＢ信号の値を取得し、Ｙ信号、Ｕ信号およびＶ信号のシフト演算を行った後、加減算を行うことによってＧ信号の値を取得する。
【００３３】
さらに、好ましくは、本発明の画像処理プログラムにおける色補正処理は、入力される動画像の種類に関する情報を抽出する動画像種別情報抽出処理と、動画像種別毎に色補正情報が格納された複数の色補正テーブルから動画像の種類によって最適な色補正テーブルを選択する最適テーブル選択処理とをさらに含み、選択された色補正テーブルの情報を元に、入力される動画像信号の種類に応じた色補正を行う。
【００３４】
さらに、好ましくは、本発明の画像処理プログラムにおいて、指定される任意の画像出力領域に対してそれぞれ、前記色空間変換処理および色補正処理を行う。
【００３５】
本発明の記録媒体は、請求項１１〜１４の何れかに記載の動画像処理プログラムが記録されたコンピュータ読み取り可能なものであり、そのことにより上記目的が達成される。
【００３６】
上記構成により、以下に、本発明の作用について説明する。
【００３７】
本発明にあっては、動画像入力手段からＹＵＶ色空間データとして入力される動画像信号が、色空間変換手段によってＹＵＶ色空間からＲＧＢ色空間に色空間変換され、ＲＧＢ色空間に変換された動画像が色補正手段によって色補正され、色補正された動画像信号がＲＧＢ色空間データとして動画像出力手段から出力される。
【００３８】
ＹＵＶ色空間からＲＧＢ色空間への変換は、Ｙ信号とＶ信号の値に応じたＲ信号の値が格納されたＲ信号用ＬＵＴと、Ｙ信号とＵ信号の値に応じたＢ信号の値が格納されたＢ信号用ＬＵＴと、Ｙ信号、Ｖ信号およびＵ信号のシフト演算と加減算とを行うＧ信号用演算処理部とによって行われる。
【００３９】
２次元のＬＵＴ二つと、シフト演算および加減算を行う演算処理部によって色空間変換を行うことができるため、３次元ＬＵＴを用いた従来技術に比べてメモリ容量を減らすことが可能である。また、格子点間の補間処理を行う従来技術のように、複数個の補間領域の頂点データおよび補間係数の積和を行う必要がなく、処理が速いシフト演算と加減算とによって、処理時間を短くすることが可能である。
【００４０】
また、動画像種別情報抽出手段（動画像種別情報を入手する手段）によって動画像の種類に関する情報を抽出し、動画像種別毎に色補正情報が格納された複数の色補正テーブルから、最適テーブル選択手段によって最適な色補正テーブルを選択し、色補正手段によって、選択された色補正テーブルの情報を元に、入力される動画像の種類に応じた色補正を行うことができる。これによって、動画像の種類に応じた最適な表示品位に調整することができる。
【００４１】
色補正手段では、最適テーブル選択手段から供給された色補正情報を用いてＬＵＴを作成し、作成されたＬＵＴから色補正後の値を取得することができる。色補正情報を用いることによって、固定されたＬＵＴではなく、動画像の種類に応じたＬＵＴを容易に作成することができる。また、ＬＵＴを参照することによって、色補正処理部による色補正処理を高速化することができる。さらに、管理テーブルによって色補正テーブルの色補正情報を管理することによって、最適テーブル選択手段では、管理テーブルの情報を用いて動画像の種類に応じた色補正テーブルを容易に選択することができる。
【００４２】
また、表示制御手段（実施形態２では表示コントローラ５９）によって、指定される任意の画像出力領域に対して、色空間変換処理および色補正処理が行われるように、制御することができる。これによって、複数の画像出力領域（表示画面の領域）に対して個別に色補正を行うことができる。
【００４３】
さらに、色補正処理手段を複数設けて、複数の画像出力領域に対して並列して色補正処理を行うことによって、処理時間をさらに短縮化することができる。
【００４４】
本発明の動画像処理プログラムを機械読み取り可能な記録媒体（コンピュータ読み取り可能な記録媒体）に記録させることによって、例えばパーソナルコンピュータなどのコンピュータによって、動画像の種類に応じた最適な表示品位に調整して、液晶表示装置等の表示装置に高品位に表示させることができる。
【００４５】
【発明の実施の形態】
（実施形態１）
以下に、本発明の動画像処理装置の実施形態１，２について、図面を参照しながら説明する。
【００４６】
図１は、本発明の動画像処理装置の実施形態１における要部構成を示すブロック図である。
【００４７】
図１において、この動画像処理装置１００は、動画像入力手段としてのアンテナ１０およびチューナー／復調器１１と、ＴＳデコーダ１２と、ＭＰＥＧデコーダ１３と、動画像種別情報抽出手段としてのＥＰＧ抽出処理部１４と、色空間変換手段としてのＹＵＶ／ＲＧＢ変換処理部１５と、色補正手段としてのＲＧＢ色補正処理部１６と、色補正テーブル１７と、管理テーブル１８と、色補正テーブル１７および管理テーブル１８が格納されるＲＡＭなどの記憶部（図示せず）と、最適テーブル選択手段としての最適テーブル選択処理部１９と、動画像出力手段としてＲＧＢ色補正済みの動画像を表示する表示手段としての液晶表示装置２０とを有している。
【００４８】
チューナー／復調器１１は、アンテナ１０によって受信された受信電波から目的の放送局の電波が選択され、これが復調されて一つのトランスポートストリーム（ＴＳ）が復元される。
【００４９】
ＴＳデコーダ１２では、ＴＳがデスクランブル処理された後に、映像データ、音声データ、データ放送用各種データ、ＥＰＧ表示用データなどのコンテンツに分離される。
【００５０】
ＭＰＥＧデコーダ１３では、ＴＳデコーダ１２から分離された映像データが映像信号に変換される。この映像信号は、ＹＵＶ空間データとして表されている。
【００５１】
ＥＰＧ抽出処理部１４では、ＴＳデコーダ１２によって分離されたＥＰＧ表示用データから、現在受信されているデータのジャンル情報や番組記述情報が抽出される。このジャンル情報や番組記述情報は、現在受信されている動画像の種類に関する情報として最適テーブル選択処理部１９に供給される。
【００５２】
ＹＵＶ／ＲＧＢ変換処理部１５では、ＭＰＥＧデコーダ１３から供給された映像信号がＹＵＶ色空間データからＲＧＢ色空間データに変換される。
【００５３】
最適テーブル選択処理部１９では、ＥＰＧ抽出処理部１４から供給されたジャンル情報や番組記述情報を元に、管理テーブル１８を介して最適な色補正テーブル１７が選択され、ＲＧＢ色補正処理部１６に選択された色補正テーブル１７の情報が供給される。なお、色補正テーブル１７は、一つまたは二つ以上の色補正テーブルによって構成されており、最適テーブル選択処理部１９では、管理テーブル１８の情報を用いて色補正テーブル１７が選択されるようになっている。
【００５４】
ＲＧＢ色補正処理部１６では、ＹＵＶ／ＲＧＢ変換処理部１５によってＹＵＶ空間データからＲＧＢ色空間データに変換された映像信号が、最適テーブル選択処理部１９によって選択された色補正テーブル１７の情報を元に色補正される。これによって、入力される動画像の種類に応じた色補正が行われる。
【００５５】
液晶表示装置２０には、ＲＧＢ色補正処理部１６によって色補正された後のＲＧＢ色空間データが、映像信号として供給される。これによって、液晶表示装置２０では、色補正された動画像が表示される。
【００５６】
以上のように構成された本実施形態１の動画像処理装置１００における各構成部分およびその動作について、さらに詳細に説明する。
【００５７】
まず、ＹＵＶ／ＲＧＢ変換処理部１５について説明する。
【００５８】
図２は、図１のＹＵＶ／ＲＧＢ変換処理部１５の要部構成を示すブロック図である。
【００５９】
図２において、このＹＵＶ／ＲＧＢ変換処理部１５は、Ｒ信号用ＬＵＴとしてのＬＵＴ−Ｒ  １５Ｒと、Ｂ信号用ＬＵＴとしてのＬＵＴ−Ｂ  １５Ｂと、Ｇ信号用演算処理部としての加減算およびシフト演算部１５Ｇとを有している。
【００６０】
ＬＵＴ−Ｒ  １５Ｒには、Ｙ信号およびＶ信号の値に応じたＲ信号の値が格納されており、ＬＵＴ−Ｂ  １５Ｂには、Ｙ信号およびＵ信号の値に応じたＢ信号の値が格納されている。また、加減算およびシフト演算部１５Ｇでは、加減算処理およびシフト演算処理が行われる。
【００６１】
ＭＰＥＧでコーダ１３から供給される映像信号は、Ｙ信号、Ｕ信号およびＶ信号によって構成されている。Ｙ信号およびＵ信号はＬＵＴ−Ｒ  １５Ｒに入力されてＲ信号に変換される。また、Ｙ信号およびＶ信号はＬＵＴ−Ｂ  １５Ｂに入力されてＢ信号に変換される。さらに、Ｙ信号、Ｕ信号およびＶ信号は、加減算およびシフト演算部１５Ｇに入力されて、下記式（数４）に示すような変換式にしたがってＧ信号に変換される。
【００６２】
【数４】
2005012285.tif 000006
【００６３】
上記式（数４）中、「＞＞」はシフト演算を表す。
【００６４】
なお、Ｒ信号およびＢ信号への変換順序については、特に規則はなく、任意の順序で変換処理を行うことができる。Ｇ信号への変換順序については、シフト演算の後、加減算の順序で処理を行う。シフト演算と加減算の順序を固定化する。
【００６５】
従来技術において、ＹＵＶ色空間データからＲＧＢ色空間データに色空間変換を行う場合には、Ｒ信号およびＢ信号への変換処理として、それぞれ、積算２回、加算２回が必要であり、Ｇ信号への変換処理として、積算３回、加算３回が必要であった。
【００６６】
これに対して、本実施形態１では、Ｒ信号およびＢ信号への変換処理としてそれぞれ、１回のＬＵＴ参照を行えばよく、また、Ｇ信号への変換処理として、加算２回、減算６回、シフト演算８回を行えばよいため、処理を簡略化することができる。
【００６７】
例えば、ＹＵＶ／ＲＧＢ変換処理部１５において加算、減算およびシフト演算の処理速度を１とした場合、積算の処理速度は１０と見積もることができる。したがって、従来の変換処理方法では処理速度が７７になるのに対して、本実施形態１では、処理速度が１８となり、大幅に処理速度を向上させることができる。
【００６８】
また、本実施形態１では、２次元のＬＵＴ二つと、シフト演算および加減算とによって色空間変換を行うことができるため、３次元ＬＵＴを用いた従来技術に比べてメモリ容量を大幅に減らすことができる。
【００６９】
以上のようにＹＵＶ／ＲＧＢ変換処理部１５の変換処理を簡略化することによって、ＹＵＶ／ＲＧＢ色変換精度は若干低くなるものの、動画像においては高速に処理することができるため、表示される動画像には何ら影響は生じない。
【００７０】
次に、最適テーブル選択処理部１９について説明する。
【００７１】
図３は、図１の最適テーブル選択処理部１９において、ＥＰＧ抽出処理部１４によって抽出された動画像の種類に関する情報が供給されたときの動作を示すフローチャートである。
【００７２】
図３に示すように、まず、最適テーブル選択処理部１９は、ステップＳ１１において、ＥＰＧ抽出処理部１４からジャンル情報や番組記述情報など、動画像の種類に関する情報（データ）が供給されると、ＲＡＭなどの記憶部（図示せず）に格納されている管理テーブル１８を開き、供給されたデータの値に該当する行番目のデータ一式を読み出す。
【００７３】
さらに、ステップＳ１２では、読み出したデータ一式から色補正情報ファイル名を取得する。
【００７４】
なお、管理テーブル１８には、最低限、色補正情報を補正するためのファイル名が格納されていればよい。図４に、管理テーブル１８の一例を示している。この例では、動画像の種類（番組のジャンル）に応じて色補正情報ファイル名が格納されている。このように、番組の種類毎に色補正テーブルを変える理由は、映画番組のときには輝度が低めであるために輝度を高める補正が必要であり、ニュース番組のときは輝度が高めであるために輝度を下げる補正が必要であるなど、番組の種類によって色補正の情報が異なるからである。
【００７５】
次に、ステップＳ１３では、取得された色補正情報ファイル名が、ＲＡＭなどの記憶部（図示せず）内に格納されている色補正テーブル１７に存在するか否かを判断する。ステップＳ１３において、色補正情報ファイル名が色補正テーブル１７に存在しない場合には、ステップＳ１４でデフォルト時の色補正情報ファイル名を生成した後、ステップＳ１５で色補正テーブル１７からデフォルト時の色補正情報ファイル名に対応する色補正テーブルを開き、ＲＧＢ色補正処理部１６に、色補正処理に必要な色補正情報を供給する。
【００７６】
また、ステップＳ１３において、色補正情報ファイル名が色補正テーブル１７に存在する場合には、ステップ１５で色補正テーブル１７から色補正情報ファイル名に対応する色補正テーブルを開き、ＲＧＢ色補正処理部１６に、色補正処理に必要な色補正情報を供給する。
【００７７】
以上のように、ＥＰＵ抽出処理部１４によって番組のジャンルや番組記述情報など、動画像の種類に関する情報を抽出し、動画像種別毎に色補正情報が格納された複数の色補正テーブル１７から、最適テーブル選択処理部１９によって最適な色補正テーブルを選択することによって、ＲＧＢ色補正処理部１６では、選択された色補正テーブルの情報を元に、入力される動画像の種類に応じた色補正を行うことができる。また、色補正情報ファイル名など、色補正テーブル１７の色補正情報を管理する情報を管理テーブル１８に格納しておくことによって、最適テーブル選択処理部１９では、管理テーブル１８の情報を用いて動画像の種類に応じた色補正テーブルを容易に選択することができる。
【００７８】
なお、色補正テーブルに格納されている色補正情報としては、例えばＲＧＢ信号のγ特性に関するデータ、ＲＧＢ信号の色度点に関するデータ、白色点に関するデータなどが挙げられるが、これらに限定されるものではない。
【００７９】
次に、ＲＧＢ色補正処理部１６について説明する。
【００８０】
図５は、図１のＲＧＢ色補正処理部１６の要部構成を示すブロック図である。
【００８１】
図５において、このＲＧＢ色補正処理部１６は、Ｒ信号用ＬＵＴとしてのＬＵＴ−ＲＲ  １６Ｒと、Ｇ信号用ＬＵＴとしてのＬＵＴ−ＧＧ  １６Ｇと、Ｂ信号用ＬＵＴとしてのＬＵＴ−ＢＢ  １６Ｂとを有している。
【００８２】
ＬＵＴ−ＲＲ  １６Ｒには、入力Ｒ信号の値（Ｒ）に応じた出力Ｒ信号の値（Ｒ’）が格納されており、ＬＵＴ−ＧＧ  １６Ｇには、入力Ｇ信号の値（Ｇ）に応じた出力Ｇ信号の値（Ｇ’）が格納されており、ＬＵＴ−ＢＢ  １６Ｂには、入力Ｂ信号の値（Ｂ）に応じた出力Ｂ信号の値（Ｂ’）が格納されている。
【００８３】
ＹＵＶ／ＲＧＢ変換処理部１５から供給される映像信号は、Ｒ信号、Ｇ信号およびＢ信号によって構成されている。Ｒ信号はＬＵＴ−ＲＲ  １６Ｒに入力されて補正されたＲ’信号に変換される。Ｇ信号はＬＵＴ−ＧＧ  １６Ｇに入力されて補正されたＧ’信号に変換される。Ｂ信号はＬＵＴ−ＢＢ  １６Ｂに入力されて補正されたＢ’信号に変換される。
【００８４】
なお、補正されたＲ’信号、Ｇ’信号およびＢ’信号への変換順序については、特に規則はなく、任意の順序で変換処理を行うことができる。
【００８５】
図６は、図３に示すＬＵＴ−ＲＲ１６Ｒ、ＬＵＴ−ＧＧ  １６ＧおよびＬＵＴ−ＢＢ  １６Ｂ内のテーブルデータ作成動作を説明するためのフローチャートである。
【００８６】
図６に示すように、まず、ＲＧＢ色補正処理部１６は、ステップＳ２１において、最適テーブル選択処理部１９からＲＧＢ色補正処理に必要な色補正情報が供給されると、Ｒ信号、Ｇ信号およびＢ信号の各々に対する例えばγ特性に関するデータを取得し、各々の信号に対して理想的なγ特性値との比を取る。このときに得られた比の値は、Ｒ信号、Ｇ信号およびＢ信号の各々に対して、一時バッファ（Ｂ１１、Ｂ１２、Ｂ１３）に保存する。
【００８７】
次に、ステップＳ２２では、上記ＲＧＢ色補正処理に必要な色補正情報から、Ｒ信号、Ｇ信号およびＢ信号の色度点に関するデータおよび白色点に関するデータを取得し、Ｒ信号、Ｇ信号およびＢ信号が全て最大値になった場合のＲ信号、Ｇ信号およびＢ信号の値を各々算出する。
【００８８】
ステップＳ２３では、ステップＳ２２で算出された値と、Ｒ信号、Ｇ信号およびＢ信号の各々の最大値との比を取る。このときに得られた比の値は、Ｒ信号、Ｇ信号およびＢ信号の各々に対して、一時、バッファ（Ｂ２１、Ｂ２２、Ｂ２３）に保存する。
【００８９】
ステップＳ２４では、上記ＲＧＢ色補正処理に必要な色補正情報から、Ｇ信号およびＢ信号の各々に対するγ特性に関するデータを取得した後、双方で比を取る（        例えば、「Ｇ信号のγ特性／Ｂ信号のγ特性」という計算でしょうか    ）。
【００９０】
ステップＳ２５では、ステップ２４で算出された値に対して比例係数を乗じた後、一時、バッファ（Ｂ３３）に保存する。
【００９１】
ステップＳ２６では、一時、バッファ（Ｂ１１、Ｂ２１）に保存された値を掛け合わせてＲ信号の色補正を行うためのデータを生成した後、ＬＵＴ−ＲＲ  １６Ｒに保存する。
【００９２】
ステップＳ２７では、一時、バッファ（Ｂ１２、Ｂ２２）に保存された値を掛け合わせてＧ信号の色補正を行うためのデータを生成した後、ＬＵＴ−ＧＧ  １６Ｇに保存する。
【００９３】
ステップＳ２８では、一時、バッファ（Ｂ１３、Ｂ２３、Ｂ３３）に保存された値を掛け合わせてＢ信号の色補正を行うためのデータを生成した後、ＬＵＴ−ＢＢ  １６Ｂに保存する。
【００９４】
以上のようにして生成されたＬＵＴ−ＲＲ  １６Ｒ、ＬＵＴ−ＧＧ  １６Ｇ、ＬＵＴ−ＢＢ  １６Ｂの特性を示すグラフの一例を図７、図８および図９に示している。これらのグラフにおいて、横軸は入力値を、縦軸は出力値を示す。また、基準のラインは、変換処理が行われない場合の特性を示している。
【００９５】
本実施形態１では、各ＬＵＴは２５６バイトで構成されている。なお、色精度または圧縮方式によっては、これらのＬＵＴの容量は変化することがある。
【００９６】
以上のように、ＲＧＢ色補正処理部１６によって、最適テーブル選択処理部１９から供給された色補正情報を用いてＬＵＴを作成し、作成されたＬＵＴから色補正後の値を取得することができる。色補正情報を用いることによって、固定されたＬＵＴではなく、動画像の種類に応じたＬＵＴを容易に作成することができ、このＬＵＴを参照することによって、色補正処理を高速に行うことができる。
【００９７】
（実施形態２）
本実施形態２では、指定される任意の複数の画像出力領域に対してそれぞれ、上記実施形態１と同様の本発明の色空間変換処理および色補正処理を行う場合である。
【００９８】
図１０は、本発明の動画像処理装置の実施形態２における要部構成を示すブロック図である。なお、図１０では、図１と同様の機能（作用効果）を有する構成部材については、同じ付号を付している。
【００９９】
図１０において、動画像処理装置１００Ａは、色空間変換手段としてのＹＵＶ／ＲＧＢ変換処理部１５と、色補正手段としてのＲＧＢ色補正処理部１６ａおよび１６ｂと、最適テーブル選択処理部１９と、動画像出力手段としての液晶表示装置２０と、ＣＰＵ５１と、チップセット５２と、メモリ５３と、Ｉ／Ｆ５４と、色補正テーブル１７および管理テーブル１８が格納されている外部記憶装置５５と、ＤＶＤ画像／通信入力画像５７が入力される動画像入力手段としての入力装置５６と、ＭＰＥＧデコーダ１３と、表示制御手段および動画像種別情報取得手段としての表示コントローラ５９とを有している。
【０１００】
この動画像処理装置１００Ａでは、ＣＰＵ５１（中央演算処理装置）によって各種演算処理が行われ、メモリ５３にデータが一時的に格納される。データの流れはチップセット５２によって制御されており、Ｉ／Ｆ  ５４では、チップセット５２からの制御に応じて、メモリ５３から外部記憶装置５５や入力装置５６に送受信されるデータが切り替えられるようになっている。外部記憶装置５５は、ハードディスク装置など、記憶容量が大きい装置であり、メモリ５３の記憶容量を超えるデータが記憶されるようになっている。
【０１０１】
入力装置５６においてＤＶＤ画像／通信入力画像５７が受信されると、ＭＰＥＧデコーダ１３によって、チップセット５２および表示コントローラ５９の制御に応じて、ＤＶＤ画像／通信入力画像５７のデータが映像信号に変換されて表示コントローラ５９およびＹＵＶ／ＲＧＢ変換処理部１５に供給される。
【０１０２】
表示コントローラ５９では、ＭＰＥＧデコーダ１３から供給された映像信号から動画像の種類に関する情報（映像情報）が抽出されて最適テーブル選択処理部１９に供給される。また、ＹＵＶ／ＲＧＢ変換処理部１５、ＭＰＥＧデコーダ１３、ＲＧＢ色補正処理部１６ａおよび１６ｂは、表示コントローラ５９によって制御されており、動画像の種類に関する情報によって、ＹＵＶ／ＲＧＢ変換処理部１５に供給される映像信号が制御されて、ＹＵＶ／ＲＧＢ変換処理部１５、ＲＧＢ色補正処理部１６ａおよび１６ｂの処理対象となる表示画面の領域が制御されるようになっている。
【０１０３】
最適テーブル選択処理部１９では、表示コントローラ５９から動画像の種類に関する情報が供給されると、管理テーブル１８から最適な色補正テーブル１７が選択され、ＲＧＢ色補正処理部１６ａまたは１６ｂに選択された色補正テーブル１７の情報が供給される。
【０１０４】
ＲＧＢ色補正処理部１６ａおよび１６ｂでは、各々、図１に示すＲＧＢ色補正処理部１６と同じ処理が行われ、各々の色補正後の映像信号が液晶表示装置２０へ供給される。
【０１０５】
次に、以上のように構成された本実施形態２の動画像処理装置１００Ａにおける各構成およびその動作についてさらに詳細に説明する。
【０１０６】
まず、最適テーブル選択処理部１９について説明する。
【０１０７】
図１１は、図１０の最適テーブル選択処理部１９において、表示コントローラ５９によって抽出された映像情報が供給されたときの動作を示すフローチャートである。
【０１０８】
図１１に示しように、まず、最適テーブル選択処理部１９は、ステップＳ３０において、表示コントローラ５９から動画像の種類に関する情報（映像情報）が供給されると、これをメモリ５３内の一時バッファＢ４０に保存する。
【０１０９】
次に、ステップＳ３１において、一時バッファＢ４０からデータを取得した後、外部記憶装置５５に格納されている管理テーブル１８を開き、取得されたデータの値に該当する行番目のデータ一式を読み出す。ステップＳ３２では、読み出したデータ一式から色補正情報ファイル名を取得する。
【０１１０】
ステップＳ３３では、取得された色補正情報ファイル名が、外部記憶装置５５内に格納されている色補正テーブル１７に存在するか否かを判断する。ステップＳ３３において、色補正情報ファイル名が色補正テーブル１７に存在しない場合には、ステップＳ３４でデフォルト時の色補正情報ファイル名を生成した後、ステップＳ３５で色補正テーブル１７からデフォルト時の色補正情報ファイル名に対応する色補正テーブルを開き、ＲＧＢ色補正処理部１６ａまたは１６ｂに、色補正処理に必要な色補正情報を供給する。
【０１１１】
また、ステップＳ３３において、色補正情報ファイル名が色補正テーブル１７に存在する場合には、ステップ３５で色補正テーブル１７から色補正情報ファイル名に対応する色補正テーブルを開き、ＲＧＢ色補正処理部１６ａまたは１６ｂに、色補正処理に必要な色補正情報を供給する。
【０１１２】
ＲＧＢ色補正処理部１６ａおよび１６ｂの動作は、図１に示すＲＧＢ色補正処理部１６と同様であるため、ここではその説明を省略する。
【０１１３】
次に、表示コントローラ５９について説明する。
【０１１４】
図１２は、図１０の動画像処理装置１００Ａにおいて、液晶表示装置２０の表示画面に表示される映像の一例を示す図である。
【０１１５】
図１２に斜線で示す領域▲１▼には、ＲＧＢ色補正処理部１６ａから供給された映像が表示されており、網掛で示す領域▲２▼には、ＲＧＢ色補正処理部１６ｂから供給された映像が表示されているものとする。
【０１１６】
表示コントローラ５９は、ＭＰＥＧデコーダ１３から供給された動画像の種類に関する情報（映像情報）を最適テーブル選択処理部１９に供給すると共に、ＹＵＶ／ＲＧＢ変換処理部１５を制御してＲＧＢ色補正処理部１６ａまたは１６ｂに供給されるＲＧＢ信号を制御し、さらに、ＲＧＢ色補正処理部１６ａおよび１６ｂを制御して液晶表示装置２０に供給される色補正されたＲＧＢ信号を制御する。例えば、図１２に示す領域▲１▼の映像信号は、ＲＧＢ色補正処理部１６ａで処理が行われるように制御し、領域▲２▼の映像信号はＲＧＢ色補正処理部１６ｂで処理が行われるように、表示コントローラ５９によって制御することができる。また、領域▲１▼または領域▲２▼のうち、指定された領域のみＲＧＢ色補正処理が行われ、指定されていない領域では処理が行われないようにすることもできる。
【０１１７】
従来技術では、液晶表示装置２０の表示領域全体に渡ってＹＵＶ／ＲＧＢ変換処理およびＲＧＢ色補正処理が行われていたのに対して、本実施形態２では、表示コントローラ５９によって、指定された任意の領域に対してＹＵＶ／ＲＧＢ変換処理およびＲＧＢ色補正処理を行うようにすることができる。したがって、ＹＵＶ／ＲＧＢ変換処理およびＲＧＢ色補正処理を行う必要がある領域に対してのみ処理を行って、処理が不要な領域には処理を行わないことによって処理時間を短縮化することができる。また、液晶表示装置２０の表示画面において、複数領域に対して、ＹＵＶ／ＲＧＢ変換処理およびＲＧＢ色補正処理が行われる場合においても、それぞれの領域に対して複数のＲＧＢ色補正処理部によって並列して処理を行うことができるため、従来技術よりも処理時間を短縮化することができると共に、それぞれの領域に表示される映像に応じた固有の色補正を行うことができる。
【０１１８】
なお、上記実施形態１，２では、色空間変換手段としてのＹＵＶ／ＲＧＢ変換処理部、色補正手段としてのＲＧＢ色補正処理部および最適テーブル選択手段としての最適テーブル選択処理部を設けた動画像処理装置１００，１００Ａについて説明したが、これらの処理はソフトウェアによっても行うことができる。
【０１１９】
この場合には、上述したような色空間変換処理、最適テーブル選択処理および色補正処理の処理手順が記述された動画像処理プログラムを作成し、その動画像処理プログラムをコンピュータ読み取り可能なハードディスクやＣＤ（光ディスク）などの記録媒体に記録させておく。例えば図１０に示すようなＣＰＵ５１、チップセット５２、メモリ５３、Ｉ／Ｆ５４、外部記憶装置５５、入力装置５６、ＭＰＥＧデコーダ１３、表示コントローラ５９および液晶表示装置２０を備えたパーソナルコンピュータを用いて、外部記憶装置５５によって動画像処理プログラムを読み取ってメモリ５３に格納させると共に、管理テーブルや色補正テーブル、色空間変換時に用いられるＲ信号用ＬＵＴおよびＢ信号用ＬＵＴのデータをメモリ５３に格納させる。この動画像処理プログラムにしたがって、メモリ５３から管理テーブルや色補正テーブル、ＬＵＴのデータを読み出しながら、ＣＰＵ５１によって演算処理を実行させることにより、色補正色空間変換処理、最適テーブル選択処理および色補正処理をパーソナルコンピュータによって行うことができる。色補正処理時に用いられるＲ信号用ＬＵＴ、Ｂ信号用ＬＵＴおよびＧ信号用ＬＵＴのデータは、色補正テーブルの情報を元にＣＰＵによって演算処理を行うことによって作成され、メモリ５３に格納される。これによって、入力される動画像の種類に応じた色補正を高速に行って表示品位が良好な動画像を液晶表示装置２０の表示画面上に表示させることができる。
【０１２０】
また、従来の動画像処理装置に、本発明の動画像プログラムを搭載させることによっても、色補正色空間変換処理、最適テーブル選択処理および色補正処理を実行させることができる。
【０１２１】
以上により、上記実施形態１，２によれば、ＲＵＶ／ＲＧＢ変換処理部１５は、Ｙ信号とＶ信号の値に応じたＲ信号の値が記憶されたＬＵＴからＲ信号の値を取得し、Ｙ信号とＵ信号の値に応じたＢ信号の値が記憶されたＬＵＴからＢ信号の値を取得し、Ｙ信号、Ｕ信号、Ｖ信号のシフト演算と加減算とを行ってＧ信号の値を取得する。最適テーブル選択処理部１９は、ＥＰＧ抽出処理部１４にて抽出されたジャンル情報や番組記述情報を元に、管理テーブル１８から最も適した色補正テーブル１７を選択し、そのテーブル情報をＲＧＢ色補正処理部１６に送信する。ＲＧＢ補正処理部１６は、色補正情報に従ってルックアップテーブルを作成し、入力された映像信号をＲＧＢ空間で色補正し、液晶表示装置２０に出力する。これによって、動画像の種類に応じた適切な表示品位が得られるように色補正することができる。また、動画像が出力される表示領域毎に、色空間変換処理および色補正処理を行えば、それぞれの表示領域に最適な色補正を行うことができる。
【０１２２】
【発明の効果】
以上により、本発明によれば、ＹＵＶ／ＲＧＢ変換処理を従来よりも高速に行うことができるため、ＹＵＶ色空間データとして入力された動画像の色補正をＲＧＢ色空間で行って、ＲＧＢ色空間データの動画像として出力させることができる。
【０１２３】
また、動画像の一画面当たりの容量が増加しても、従来技術ほどＹＵＶ／ＲＧＢ色変換処理のための処理時間を必要としないので、今後の高速化に対する要求にも対応することができる。
【０１２４】
さらに、ＹＵＶ／ＲＧＢ色変換処理および色補正処理は、全てソフトウェアによって処理させることができるため、従来の動画像処理装置に動画像処理プログラムとして追加することによって実現することが可能である。したがって、動画像処理装置の設計に柔軟性を持たせることができ、動画像の種類毎に色補正テーブルを変更することによって、最適な色補正画像を出力させることができる。
【０１２５】
さらに、動画像が出力される表示領域毎に、色空間変換処理および色補正処理を行うことができるため、無駄な処理時間が不要となり、他の表示領域に不具合な色補正が生じることなく、それぞれの表示領域に最適な色補正を行うことができる。
【図面の簡単な説明】
【図１】本発明の動画像処理装置の実施形態１における要部構成を示すブロック図である。
【図２】図１のＹＵＶ／ＲＧＢ変換処理部の要部構成を示すブロック図である。
【図３】図１の最適テーブル選択処理部の動作を説明するためのフローチャートである。
【図４】本発明の実施形態１の管理テーブルの一例を示す図である。
【図５】図１のＲＧＢ色補正処理部の要部構成を示すブロック図である。
【図６】図３に示すＬＵＴ−ＲＲ、ＬＵＴ−ＧＧおよびＬＵＴ−ＢＢ内のテーブルデータ作成動作を説明するためのフローチャートである。
【図７】本発明の実施形態１で作成されたＬＵＴ−ＲＲの一特性を示すグラフである。
【図８】本発明の実施形態１で作成されたＬＵＴ−ＧＧの一特性を示すグラフである。
【図９】本発明の実施形態１で作成されたＬＵＴ−ＢＢの一特性を示すグラフである。
【図１０】本発明の動画像処理装置の実施形態２における要部構成を示すブロック図である。
【図１１】図１０の最適テーブル選択処理部の動作を説明するためのフローチャートである。
【図１２】図１０の動画像処理装置１００Ａにおいて、液晶表示装置２０の表示画面に表示される映像の一例を示す図である。
【符号の説明】
１０    アンテナ
１１    チューナー／復調器
１２    ＴＳデコーダ
１３    ＭＰＥＧデコーダ
１４    ＥＰＧ抽出処理部
１５    ＹＵＶ／ＲＧＢ変換処理部
１５Ｒ    Ｒ信号用ＬＵＴ
１５Ｇ    加減算およびシフト演算部
１５Ｂ    Ｂ信号用ＬＵＴ
１６、１６ａ、１６ｂ    ＲＧＢ色補正処理部
１６Ｒ    Ｒ信号用ＬＵＴ
１６Ｇ    Ｇ信号用ＬＵＴ
１６Ｂ    Ｂ信号用ＬＵＴ
１７    色補正テーブル
１８    管理テーブル
１９    最適テーブル選択処理部
２０    液晶表示装置
５１    ＣＰＵ
５２    チップセット
５３    メモリ
５４    ＩＦ
５５    外部記憶装置
５６    入力装置
５７    ＤＶＤ画像／通信入力画像
５９    表示コントローラ
１００，１００Ａ  動画像処理装置
【図１】
2005012285.tif 000007
【図２】
2005012285.tif 000008
【図３】
2005012285.tif 000009
【図４】
2005012285.tif 000010
【図５】
2005012285.tif 000011
【図６】
2005012285.tif 000012
【図７】
2005012285.tif 000013
【図８】
2005012285.tif 000014
【図９】
2005012285.tif 000015
【図１０】
2005012285.tif 000016
【図１１】
2005012285.tif 000017
【図１２】
2005012285.tif 000018